(57)【要約】  【課題】  ネットワークに接続する中継装置において、携帯電話を介して、建物のセキュリティを管理することのできる技術を提供すること。  【解決手段】建物１８０の入退出経路に配置された携帯電話検出センサ１４０により、携帯電話１１０の入退出を検知した場合には、ホームゲートウェイ１２０は、携帯電話１１０のユーザが外出するものか、入室するものか、を判断して、外出するものである場合には、最後の外出者であるか否かを判断する。そして、最後の外出者である場合には、異常検知センサ１５０を介して取得された監視情報を検索して、異常がある場合には、異常と判断された監視項目を携帯電話１１０に通知する。【選択図】図１
2009266105.tif 000002
【特許請求の範囲】
【請求項１】
特定の建物に配置され、ネットワークを介して情報の送受信を行うことのできる中継装置であって、
前記建物に入退出するユーザが使用する携帯端末の通信先を特定するユーザ情報と、
前記建物に入退出するユーザが使用する携帯端末が、前記建物に在宅中か外出中かを特定する在宅情報と、
前記建物に異常があるか否かを、監視項目毎に特定する監視情報と、
を記憶する記憶部と、制御部と、を備え、
前記制御部は、
前記建物の入退出経路に配置された携帯電話検出センサが携帯電話の入退出を検知すると、前記在宅情報より、当該携帯電話を有するユーザが最後の外出者であるか否かを判断する処理と、
前記ユーザが最後の外出者であると判断した場合には、前記監視情報において監視項目に異常があるか否かを判断する処理と、
前記監視項目に異常があると判断した場合には、異常のある監視項目を特定する情報を、前記最後の外出者であると判断されたユーザの携帯電話の通信先に送信する処理と、
を行うことを特徴とする中継装置。
【請求項２】
請求項１に記載の中継装置であって、
前記制御部は、
前記建物の入退出経路に配置された携帯電話検出センサが携帯電話の入退出を検知すると、前記在宅情報より、当該携帯電話を有するユーザが外出するもの、または、当該携帯電話を有するユーザが入室するもの、であるか否かを判断する処理と、
前記ユーザが外出するものと判断した場合には、外出時の通知を、スピーカを介して出力し、前記ユーザが入室するものと判断した場合には、入室時の通知を、スピーカを介して出力する処理と、
を行うことを特徴とする中継装置。
【請求項３】
請求項１に記載の中継装置であって、
前記制御部は、
前記建物の入退出経路に配置された携帯電話検出センサが携帯電話の入退出を検知すると、前記在宅情報より、当該携帯電話を有するユーザが外出するもの、または、当該携帯電話を有するユーザが入室するもの、であるか否かを判断する処理と、
前記ユーザが外出するものと判断した場合には、前記在宅情報において、前記ユーザの携帯電話が外出中であることを特定する情報に、前記ユーザが入室するものと判断した場合には、前記在宅情報において、前記ユーザの携帯電話が在宅中であることを特定する情報に、更新する処理と、を行うこと、
を特徴とする中継装置。
【請求項４】
請求項１に記載の中継装置であって、
前記建物には、監視項目毎に前記建物に異常があるか否かを検知する異常検知センサが設置されており、
前記制御部は、
前記異常検知センサより、異常があることを通知する検知信号を受信すると、前記監視情報において、異常があることを通知した異常検知センサが監視する監視項目を、異常があることを特定する情報に更新する処理を行うこと、
を特徴とする中継装置。
【請求項５】
請求項１に記載の中継装置であって、
前記建物は、ネットワークを介して接続されているセキュリティサーバにより、セキュリティの遠隔監視を受けており、
前記制御部は、
前記ユーザが最後の外出者であると判断した場合には、前記セキュリティサーバにより、前記遠隔監視を開始する指示を送信する処理を行うこと、
を特徴とする中継装置。
【請求項６】
請求項１に記載の中継装置であって、
前記建物は、ネットワークを介して接続されているセキュリティサーバにより、セキュリティの遠隔監視を受けており、
前記制御部は、
前記ユーザが最初の入室者であると判断した場合には、前記セキュリティサーバにより、前記遠隔監視を停止する指示を送信する処理を行うこと、
を特徴とする中継装置。
【請求項７】
特定の建物に配置され、ネットワークを介して情報の送受信を行うことのできる中継装置と、携帯電話と、を備えるセキュリティシステムであって、
前記中継装置は、
前記建物に入退出するユーザが使用する携帯端末の通信先を特定するユーザ情報と、
前記建物に入退出するユーザが使用する携帯端末が、前記建物に在宅中か外出中かを特定する在宅情報と、
前記建物に異常があるか否かを、監視項目毎に特定する監視情報と、
を記憶する記憶部と、制御部と、を備え、
前記制御部は、
前記建物の入退出経路に配置された携帯電話検出センサが携帯電話の入退出を検知すると、前記在宅情報より、当該携帯電話を有するユーザが最後の外出者であるか否かを判断する処理と、
前記ユーザが最後の外出者であると判断した場合には、前記監視情報において監視項目に異常があるか否かを判断する処理と、
前記監視項目に異常があると判断した場合には、異常のある監視項目を特定する情報を、前記最後の外出者であると判断されたユーザの携帯電話の通信先に送信する処理と、
を行うことを特徴とするセキュリティシステム。
【請求項８】
請求項７に記載のセキュリティシステムであって、
前記制御部は、
前記建物の入退出経路に配置された携帯電話検出センサが携帯電話の入退出を検知すると、前記在宅情報より、当該携帯電話を有するユーザが外出するもの、または、当該携帯電話を有するユーザが入室するもの、であるか否かを判断する処理と、
前記ユーザが外出するものと判断した場合には、外出時の通知を、スピーカを介して出力し、前記ユーザが入室するものと判断した場合には、入室時の通知を、スピーカを介して出力する処理と、
を行うことを特徴とするセキュリティシステム。
【請求項９】
請求項７に記載のセキュリティシステムであって、
前記制御部は、
前記建物の入退出経路に配置された携帯電話検出センサが携帯電話の入退出を検知すると、前記在宅情報より、当該携帯電話を有するユーザが外出するもの、または、当該携帯電話を有するユーザが入室するもの、であるか否かを判断する処理と、
前記ユーザが外出するものと判断した場合には、前記在宅情報において、前記ユーザの携帯電話が外出中であることを特定する情報に、前記ユーザが入室するものと判断した場合には、前記在宅情報において、前記ユーザの携帯電話が在宅中であることを特定する情報に、更新する処理と、を行うこと、
を特徴とするセキュリティシステム。
【請求項１０】
請求項７に記載のセキュリティシステムであって、
監視項目毎に前記建物に異常があるか否かを検知する異常検知センサをさらに備え、
前記制御部は、
前記異常検知センサより、異常があることを通知する検知信号を受信すると、前記監視情報において、異常があることを通知した異常検知センサが監視する監視項目を、異常があることを特定する情報に更新する処理を行うこと、
を特徴とするセキュリティシステム。
【請求項１１】
請求項７に記載のセキュリティシステムであって、
前記建物を、ネットワークを介して遠隔監視するセキュリティサーバをさらに備え、
前記制御部は、
前記ユーザが最後の外出者であると判断した場合には、前記セキュリティサーバにより、前記遠隔監視を開始する指示を送信する処理を行うこと、
を特徴とするセキュリティシステム。
【請求項１２】
請求項７に記載のセキュリティシステムであって、
前記建物を、ネットワークを介して遠隔監視するセキュリティサーバをさらに備え、
前記制御部は、
前記ユーザが最初の入室者であると判断した場合には、前記セキュリティサーバにより、前記遠隔監視を停止する指示を送信する処理を行うこと、
を特徴とするセキュリティシステム。
【請求項１３】
建物に入退出するユーザが使用する携帯端末の通信先を特定するユーザ情報と、
前記建物に入退出するユーザが使用する携帯端末が、前記建物に在宅中か外出中かを特定する在宅情報と、
前記建物に異常があるか否かを、監視項目毎に特定する監視情報と、
を記憶する記憶部と、制御部と、を備える中継装置が行うセキュリティ監視方法であって、
前記制御部が、前記建物の入退出経路に配置された携帯電話検出センサが携帯電話の入退出を検知すると、前記在宅情報より、当該携帯電話を有するユーザが最後の外出者であるか否かを判断する処理を行う過程と、
前記制御部が、前記ユーザが最後の外出者であると判断した場合には、前記監視情報において監視項目に異常があるか否かを判断する処理を行う過程と、
前記制御部が、前記監視項目に異常があると判断した場合には、異常のある監視項目を特定する情報を、前記最後の外出者であると判断されたユーザの携帯電話の通信先に送信する処理を行う過程と、
を備えることを特徴とするセキュリティ監視方法。
【発明の詳細な説明】
【技術分野】
【０００１】
本発明は、建物のセキュリティを監視する技術に関する。
【背景技術】
【０００２】
インターネットの普及に伴い、インターネットとの間で情報を送受信する中継装置であるホームゲートウェイが各家庭に普及してきており、このようなホームゲートウェイを介してサービスを提供する技術が種々提案されている。
【０００３】
例えば、特許文献１には、ネットワークを介して、家庭内にある家電機器を制御することのできる技術が記載されている。
【０００４】
【特許文献１】特開２００６−２０３５１５号公報
【発明の開示】
【発明が解決しようとする課題】
【０００５】
近年においては、携帯電話が普及し、携帯電話は人々の生活になくてはならないツールとなっている。
【０００６】
そこで、本発明は、ネットワークに接続する中継装置において、携帯電話を介して、建物のセキュリティを管理することのできる技術を提供することを目的とする。
【課題を解決するための手段】
【０００７】
以上の課題を解決するため、本発明は、携帯電話の入退出を検知することにより、建物のセキュリティを監視する。
【０００８】
例えば、本発明は、特定の建物に配置され、ネットワークを介して情報の送受信を行うことのできる中継装置であって、前記建物に入退出するユーザが使用する携帯端末の通信先を特定するユーザ情報と、前記建物に入退出するユーザが使用する携帯端末が、前記建物に在宅中か外出中かを特定する在宅情報と、前記建物に異常があるか否かを、監視項目毎に特定する監視情報と、を記憶する記憶部と、制御部と、を備え、前記制御部は、前記建物の入退出経路に配置された携帯電話検出センサが携帯電話の入退出を検知すると、前記在宅情報より、当該携帯電話を有するユーザが最後の外出者であるか否かを判断する処理と、前記ユーザが最後の外出者であると判断した場合には、前記監視情報において監視項目に異常があるか否かを判断する処理と、前記監視項目に異常があると判断した場合には、異常のある監視項目を特定する情報を、前記最後の外出者であると判断されたユーザの携帯電話の通信先に送信する処理と、を行うことを特徴とする。
【発明の効果】
【０００９】
以上のように、本発明によれば、ネットワークに接続する中継装置において、携帯電話を介して、建物のセキュリティを管理することのできる技術を提供することができる。
【発明を実施するための最良の形態】
【００１０】
図１は、本発明の一実施形態であるセキュリティシステム１００の概略図である。
【００１１】
図示するように、セキュリティシステム１００は、携帯電話１１０と、ホームゲートウェイ１２０と、携帯電話検出センサ１４０と、異常検知センサ１５０と、スピーカ１６０と、セキュリティサーバ１７０と、を備えている。
【００１２】
そして、携帯電話検出センサ１４０と、スピーカ１６０と、は、セキュリティシステム１００でセキュリティの監視を行う監視対象である建物１８０の出入経路に配置されており、異常検知センサ１５０は、ドア、窓、風呂、調理台等の異常の検知対象を監視可能な位置に配置される。
【００１３】
また、ホームゲートウェイ１２０と、セキュリティサーバ１７０と、は、ネットワーク１９０を介して、相互に情報の送受信が可能にされている。
【００１４】
さらに、携帯電話１１０は、ホームゲートウェイ１２０との間で特定の周波数を用いて通信可能な場合には、ホームゲートウェイ１２０の子機として機能するＦＭＣ（Fixed Mobile Convergence）に対応するものとする。
【００１５】
図２は、携帯電話１１０の概略図である。
【００１６】
図示するように、携帯電話１１０は、ＩＣタグ１１１を備えている。
【００１７】
ＩＣタグ１１１は、図示してはいないが、記憶部と、制御部と、アンテナと、を備えており、後述する携帯電話検出センサ１４０からの電波により電力の供給をうけ、制御部が、記憶部より携帯電話１１０の識別情報（ここでは、登録端末名を特定する情報）を取得して、アンテナを介して送信する処理を行う。
【００１８】
なお、携帯電話１１０は、通話機能と、メールによる情報の送受信機能と、を備え、ＦＭＣに対応し、ホームゲートウェイ１２０と特定の周波数により通信可能な場合には、ネットワーク１９０を介して、音声通話をすることができるものとする。
【００１９】
図３は、ホームゲートウェイ１２０の概略図である。
【００２０】
図示するように、ホームゲートウェイ１２０は、記憶部１２１と、制御部１２６と、送受信部１２７と、入力部１２８と、出力部１２９と、ＩＦ部１３０と、無線通信部１３１と、を備える。
【００２１】
記憶部１２１は、ユーザ情報記憶領域１２２と、在宅情報記憶領域１２３と、監視情報記憶領域１２４と、を備える。
【００２２】
ユーザ情報記憶領域１２２は、ホームゲートウェイ１２０で建物１８０への入外出を監視するユーザが有する携帯電話１１０に接続するための通信情報を特定する情報が格納される。
【００２３】
例えば、本実施形態においては、図４（ユーザ情報テーブル１２２ａの概略図）に示すようなユーザ情報テーブル１２２ａが、ユーザ情報記憶領域１２２に記憶される。
【００２４】
ユーザ情報テーブル１２２ａは、登録端末名欄１２２ｂと、電話番号欄１２２ｃと、アドレス欄１２２ｄと、を有する。
【００２５】
登録端末名欄１２２ｂには、ホームゲートウェイ１２０で建物１８０への入外出を監視するユーザが有する携帯電話１１０を一意に識別するための識別情報（ここでは、登録端末名）を特定する情報が格納される。
【００２６】
電話番号欄１２２ｃには、登録端末名欄１２２ｂで識別される携帯電話１１０の電話番号を特定する情報が格納される。
【００２７】
アドレス欄１２２ｄには、登録端末名欄１２２ｂで識別される携帯電話１１０のメールアドレスを特定する情報が格納される。
【００２８】
図３に戻り、在宅情報記憶領域１２３には、ホームゲートウェイ１２０で建物１８０への入外出を監視するユーザの在宅の有無を特定する情報が格納される。なお、本実施形態においては、ユーザの在宅の有無を、当該ユーザが有する携帯電話１１０の入退出を検知することで特定するようにしている。
【００２９】
例えば、本実施形態においては、図５（在宅情報テーブル１２３ａの概略図）に示すような在宅情報テーブル１２３ａが、在宅情報記憶領域１２３に記憶される。
【００３０】
在宅情報テーブル１２３ａは、登録端末名欄１２３ｂと、状態欄１２３ｃと、を有する。
【００３１】
登録端末名欄１２３ｂには、ホームゲートウェイ１２０で建物１８０への入外出を監視するユーザが有する携帯電話１１０を一意に識別するための識別情報（ここでは、登録端末名）を特定する情報が格納される。
【００３２】
状態欄１２３ｃには、登録端末名欄１２３ｂで特定される携帯電話１１０が、建物１８０に入っている場合には、「在宅」であることを特定する情報が格納され、登録端末名欄１２３ｂで特定される携帯電話１１０が、建物１８０から外出している場合には、「外出」であることを特定する情報が格納される。
【００３３】
図３に戻り、監視情報記憶領域１２４には、ホームゲートウェイ１２０で建物１８０における検知対象の異常の有無を特定する情報が記憶される。
【００３４】
例えば、本実施形態においては、図６（監視情報テーブル１２４ａの概略図）に示すような監視情報テーブル１２４ａが監視情報記憶領域１２４に記憶される。
【００３５】
監視情報テーブル１２４ａは、監視項目欄１２４ｂと、異常有無欄１２４ｃと、を有する。
【００３６】
監視項目欄１２４ｂには、ホームゲートウェイ１２０で建物１８０における異常の検知対象を識別する識別情報が格納される。ここで、本実施形態においては、建物１８０における異常の検知対象毎に後述する異常検知センサ１５０が設けられており、当該異常検知センサ１５０からの検知信号により異常の有無が判断される。
【００３７】
異常有無欄１２４ｃには、監視項目欄１２４ｂで特定される検知対象における異常の有無を特定する情報が格納される。
【００３８】
例えば、監視項目欄１２４ｂで特定される検知対象に異常がなければ、異常有無欄１２４ｃに「正常」の文字列を特定する情報が格納され、監視項目欄１２４ｂで特定される検知対象に異常があれば、異常有無欄１２４ｃに「異常」の文字列を特定する情報が格納される。
【００３９】
図３に戻り、制御部１２６は、ホームゲートウェイ１２０での処理を制御する。
【００４０】
具体的には、制御部１２６は、ＦＭＣに従い、携帯電話１１０との間で特定の周波数により通信可能な場合には、当該携帯電話１１０を収容し、無線通信部１３１及びネットワーク１９０を介して、当該携帯電話１１０に音声通話をすることができるようにする。
【００４１】
また、制御部１２６は、入力部１２８を介して入力された情報をユーザ情報テーブル１２２ａに格納する等、ユーザ情報テーブル１２２ａを管理する処理を行う。
【００４２】
さらに、制御部１２６は、後述する携帯電話検出センサ１４０で検出された検出情報により、ユーザの入退出を判断して、在宅情報テーブル１２３ａを更新する処理を行う。
【００４３】
また、制御部１２６は、後述する異常検知センサ１５０で検出された検出情報により、異常の有無を判断して、監視情報テーブル１２４ａを更新する処理を行う。
【００４４】
そして、制御部１２６は、建物１８０への入退出を管理するユーザが全て外出したと判断した場合には、送受信部１２７を介して、セキュリティサーバ１７０に遠隔監視の開始指示を送信する。
【００４５】
一方、制御部１２６は、建物１８０への入退出を管理するユーザが全て外出した後、最初にユーザが入室した場合には、送受信部１２７を介して、セキュリティサーバ１７０に遠隔監視の終了指示を送信する。
【００４６】
また、制御部１２６は、スピーカ１６０に対して、ＩＦ部１３０を介して、予め定められた音声信号を出力する。
【００４７】
送受信部１２７は、ネットワーク１９０を介した情報の送受信を行う。
【００４８】
入力部１２８は、情報の入力を受け付ける。
【００４９】
出力部１２９は、情報を出力する。
【００５０】
ＩＦ部１３０は、携帯電話検出センサ１４０及び異常検知センサ１５０からの検出信号の入力を受け付け、また、スピーカ１６０に対して情報を出力する。
【００５１】
無線通信部１３１は、アンテナを介して、特定の周波数の無線通信により、携帯電話１１０との間で情報を送受信する。ここで、本実施形態では、無線通信部１３１は、アンテナと、ＲＦ（Radio Frequency）部と、ＢＢ（Base Band）部と、ＭＡＣ（Medium Access Controller）部と、を有する。
【００５２】
なお、ホームゲートウェイ１２０については、図示してはいないが、ＣＰＵ（Central Processing Unit）と、メモリと、を備えるいわゆるコンピュータにより構成することが可能である。即ち、記憶部１２１は、メモリに特定の情報を記憶することにより実現可能であり、制御部１２６は、メモリに記憶されている所定のプログラムをＣＰＵで実行することにより実現可能である。
【００５３】
図１に戻り、携帯電話検出センサ１４０は、特定の周波数の電波を送信し、携帯電話１１０より、当該携帯電話１１０の識別情報である登録端末名を受信して、当該登録端末名を有する検出信号をホームゲートウェイ１２０に出力する処理を行う。
【００５４】
異常検知センサ１５０は、建物１８０において、ホームゲートウェイ１２０で異常の有無を管理する箇所に配置された各種センサであり、検出する対象に応じた種類のセンサが使用される。例えば、窓やドアの閉め忘れを検知するためには感圧センサ等を用いればよく、また、火災の発生を検知するためには感熱センサや煙検知センサ等を用いればよく、これらは汎用のものを用いればよい。
【００５５】
なお、異常検知センサ１５０は、異常を検知すると検知信号をホームゲートウェイ１２０に出力する。
【００５６】
スピーカ１６０は、ホームゲートウェイ１２０から出力されてきた音声信号に応じた音声を出力する。
【００５７】
セキュリティサーバ１７０は、建物１８０のセキュリティを遠隔監視するサーバであり、例えば、建物１８０に設置されている異常検出センサ１５０により異常が検出された場合に、セキュリティサーバ１７０のオペレータに異常が発生したことを通知する処理を行うことで、建物１８０に警備員等を派遣することができるようになる。
【００５８】
図７及び図８は、ホームゲートウェイ１２０での処理を示すフローチャートである。
【００５９】
まず、制御部１２６は、携帯電話検出センサ１４０からの検出信号により、携帯電話１１０の入退出を検知すると（Ｓ１０でＹｅｓ）、携帯電話検出センサ１４０からの検出信号に含まれている登録端末名を抽出して、入退出した携帯電話１１０の登録端末名を特定する（Ｓ１１）。
【００６０】
次に、制御部１２６は、ステップＳ１１で特定した登録端末名が登録端末名欄１２３ｂに格納されているレコードを在宅情報テーブル１２３ａより特定し、特定したレコードの状態欄１２３ｃに格納されている情報で当該携帯電話１１０のユーザの在宅の有無を確認する（Ｓ１２）。そして、ステップＳ１２において、ユーザが在宅中であると判断された場合（ステップＳ１２でＹｅｓ）にはステップＳ１３に進み、ユーザが外出中であると判断された場合（ステップＳ１２でＮｏ）には図８のＡに進む。
【００６１】
なお、ステップＳ１２において「在宅」と判断された場合には、「在宅」中のユーザがこれから外出するものと判断され、また、ステップＳ１２において「外出」と判断された場合には、「外出」中のユーザがこれから入室するものと判断される。
【００６２】
ステップＳ１３では、制御部１２６は、ステップＳ１２において外出するものと判断されたユーザが最後の外出者であるか否かを判断する。
【００６３】
なお、制御部１２６は、在宅情報テーブル１２３において、ステップＳ１２で特定されたレコード以外のレコードが全て「外出」である場合には、最後の外出者であると判断し、その他の場合には、最後の外出者ではないと判断する。
【００６４】
そして、制御部１２６は、ステップＳ１３において最後の外出者でないと判断した場合にはステップＳ１４に進み、一方、ステップＳ１３において最後の外出者であると判断した場合にはステップＳ１６に進む。
【００６５】
ステップＳ１４では、制御部１２６は、スピーカ１６０に外出時の通知を行うための音声信号を送信して、スピーカ１６０より外出時の通知を行う。例えば、外出時の通知として「いってらっしゃい」という音声をスピーカ１６０より出力する。
【００６６】
そして、制御部１２６は、在宅情報テーブル１２３において、ステップＳ１２で特定されたレコードの状態欄１２３ｃを「外出」に更新する（Ｓ１５）。
【００６７】
一方、ステップＳ１６では、制御部１２６は、監視対象となっている建物１８０の異常の有無を確認する。
【００６８】
ここで、制御部１２６は、監視情報記憶領域１２４に記憶されている監視情報テーブル１２４の異常有無欄１２４ｃに格納されている情報を検索して、当該欄１２４ｃに「異常」の文字列を特定する情報が格納されている場合には、建物１８０に異常があるものと判断する。
【００６９】
そして、制御部１２６は、ステップＳ１６において、異常があると判断した場合には（ステップＳ１６でＹｅｓ）ステップＳ１７に進み、異常があると判断しなかった場合には（ステップＳ１６でＮｏ）ステップＳ１９に進む。
【００７０】
ステップＳ１７では、制御部１２６は、予め定められた異常通知の音声信号をスピーカ１６０に出力することで、スピーカ１６０から異常がある旨の通知を行う。例えば、スピーカ１６０から「監視項目に異常あり」の音声を出力する。
【００７１】
そして、制御部１２６は、ステップＳ１１で特定された登録端末名が、登録端末欄１２２ｂに格納されているレコードをユーザ情報テーブル１２２ａから特定し、特定したレコードのアドレス欄１２２ｄに格納されているメールアドレスに、監視情報テーブル１２４の異常有無欄１２４ｃにおいて、「異常」の文字列が格納されているレコードの監視項目欄１２４ｂに格納されている監視項目に対応する文字列を少なくとも有するメールを生成して、送信する（Ｓ１８）。
【００７２】
一方、ステップＳ１９では、制御部１２６は、制御部１２６は、スピーカ１６０に最後の外出時の通知を行うための音声信号を送信して、スピーカ１６０より最後の外出時の通知を行う。例えば、最後の外出時の通知として「いってらっしゃい」という音声と、「セキュリティオン」という音声と、をスピーカ１６０より出力する。
【００７３】
そして、制御部１２６は、在宅情報テーブル１２３において、ステップＳ１２で特定されたレコードの状態欄１２３ｃを「外出」に更新する（Ｓ２０）。
【００７４】
次に、制御部１２６は、建物１８０内のセキュリティモードを監視状態に設定して、ネットワーク１９０を介して、セキュリティサーバ１７３に遠隔監視の開始指示を行う（Ｓ２１）。ここで、セキュリティモードを監視状態に設定する処理として、例えば、異常検知センサ１５０での検知信号を、ネットワーク１９０を介して、セキュリティサーバ１７３に送信したり、異常検知センサ１５０で異常が検知された場合に、スピーカ１６０から警告音を出力したりする処理を行う。
【００７５】
また、ステップＳ１２で在宅中と判断されなかった場合には、図８のＡに進み、制御部１２６は、帰宅時の通知を行う（Ｓ２２）。例えば、帰宅時の通知として、「おかえりなさい」という音声をスピーカより出力する。
【００７６】
次に、制御部１２６は、図７のステップＳ１２で特定されたレコードの状態欄１２３ｃを「在宅」に更新する（Ｓ２３）。
【００７７】
そして、制御部１２６は、入室したユーザが、最初の帰宅者であるか否かを確認する（Ｓ２４）。ここで、ステップＳ２３で「在宅」に更新したレコード以外のレコードが全て「外出」である場合には、最初の帰宅者であると判断する。
【００７８】
そして、制御部１２６は、ステップＳ２４で最初の帰宅者であると判断した場合には、ステップＳ２５に進み、セキュリティモードを監視状態から解除し、セキュリティサーバ１７０に遠隔監視の解除指示を行う（Ｓ２５）。ここで、セキュリティモードを監視状態から解除する処理として、例えば、異常検知センサ１５０での検知信号を、ネットワーク１９０を介して、セキュリティサーバ１７３に送信するのを停止したり、異常検知センサ１５０で異常が検知された場合に、スピーカ１６０から警告音を出力するのを停止したりする処理を行う。
【００７９】
一方、ステップＳ２４で最初の帰宅者であると判断しなかった場合には、処理を終了する。
【００８０】
以上のように、本発明によれば、携帯電話１１０を介して建物１８０に入退出するユーザを管理することができ、ユーザの入退出に応じて建物１８０のセキュリティを監視することができる。
【００８１】
また、本発明によれば、携帯電話１１０を帯同しないで、外出すると、外出時の音声通知が行われないため、このような音声通知がない場合には、携帯電話１１０を忘れていることを認識することができる。同様に、入室時に、入室時の音声通知が行われない場合には、携帯電話１１０を紛失等したことを認識することができる。
【００８２】
なお、以上に記載した実施形態においては、図７のステップＳ１８において、監視項目に対応する文字列を少なくとも有するメールを携帯電話１１０に送信するようにしているが、このような態様に限定されず、例えば、ホームゲートウェイ１２０の制御部１２６が、携帯電話１１０に電話をかけて、監視項目に対応する音声を当該携帯電話１１０に出力するようにしても良い。また、例えば、建物１８０の出入経路にモニタ等の表示装置を設けておき、当該表示装置に、監視項目に対応する文字を表示するようにすることも可能である。
【００８３】
さらに、例えば、携帯電話検出センサ１４０からの検知信号と、在宅情報テーブル１２３ａと、により、携帯電話１１０を有するユーザの入室を検知したにもかかわらず、当該携帯電話１１０との間で特定の周波数による通信ができない場合には、ホームゲートウェイ１２０の制御部１２６は、スピーカ１６０に対して携帯電話１１０の電源切れ等を告知する警告音声を出力することも可能である。
【００８４】
また、以上に記載した実施形態においては、中継装置としてホームゲートウェイ１２０を用いたが、このような態様に限定されず、例えば、ネットワーク１９０を介して情報の送受信を行うことのできる装置であれば、例えば、ＴＡ（Terminal Adapter）、光終端装置、ルータ等どのような中継装置を用いてもよい。
【図面の簡単な説明】
【００８５】
【図１】セキュリティシステムの概略図。
【図２】携帯電話の概略図。
【図３】ホームゲートウェイの概略図。
【図４】ユーザ情報テーブルの概略図。
【図５】在宅情報テーブルの概略図。
【図６】監視情報テーブルの概略図。
【図７】ホームゲートウェイでの処理を示すフローチャート。
【図８】ホームゲートウェイでの処理を示すフローチャート。
【符号の説明】
【００８６】
１００  セキュリティシステム
１１０  携帯電話
１１１  ＩＣタグ
１２０  ホームゲートウェイ
１２１  記憶部
１２２  ユーザ情報記憶領域
１２３  在宅情報記憶領域
１２４  監視情報記憶領域
１２６  制御部
１４０  携帯電話検出センサ
１５０  異常検知センサ１５０
１６０  スピーカ
１７０  セキュリティサーバ
【図１】
2009266105.tif 000003
【図２】
2009266105.tif 000004
【図３】
2009266105.tif 000005
【図４】
2009266105.tif 000006
【図５】
2009266105.tif 000007
【図６】
2009266105.tif 000008
【図７】
2009266105.tif 000009
【図８】
2009266105.tif 000010